(57)【要約】【課題】遮蔽具の取り付け及び取り外しを簡易に且つ短時間で行う。【解決手段】遮蔽部材１は湾曲した非筒状に形成されている。また、遮蔽部材１には、湾曲形状が記憶されている。配管５０の外周面に沿って遮蔽部材１を配管５０に巻き付け、バックル３によりベルト２の一端部２ａと他端部２ｂとを接続する。遮蔽部材１は、筒状に形成され、配管５０を全周方向に取り囲む。【選択図】図１
2012225754.tif 000002
【特許請求の範囲】
【請求項１】
金属と樹脂とを含み、非筒状の湾曲した放射線遮蔽部材と、
前記放射線遮蔽部材の湾曲方向についての一端部と他端部とを接続する接続部材とを備え、
前記接続部材によって前記一端部と前記他端部とを接続することにより、前記放射線遮蔽部材が筒状に形成されることを特徴とする遮蔽具。
【請求項２】
前記接続部材によって前記放射線遮蔽部材の前記一端部と前記他端部とを接続したとき、前記一端部と前記他端部とが径方向に重複する請求項１に記載の遮蔽具。
【発明の詳細な説明】
【技術分野】
【０００１】
本発明は、放射線を遮蔽する遮蔽具に関する。
【背景技術】
【０００２】
従来から、原子力発電所等において、放射性物質が流れる配管や機器等の周囲に遮蔽部材を設けることにより、配管や機器等から放出される放射線を遮蔽している。例えば、特許文献１には、配管に鉛毛マット（遮蔽部材）を巻き付けることにより、配管から放出される放射線を遮蔽する方法が開示されている（図９参照）。また、別の方法として、鉛板を配管に巻き付ける方法が知られている。
【先行技術文献】
【特許文献】
【０００３】
【特許文献１】特開２００１−２８１３９７号公報
【発明の概要】
【発明が解決しようとする課題】
【０００４】
上述した方法では、遮蔽部材を取り付ける作業に非常に手間を要し、取り付け作業に相当な時間を要するため、取付け作業時の作業員の被ばく量が多い。また、遮蔽部材を取り付けた後、配管や機器を部分的に点検する場合、点検の際に遮蔽部材を取り外すことが必要となる。上述した方法では、遮蔽部材を取り外す作業に非常に手間を要するため、取り外し作業時の作業員の被ばく量が多い。
【０００５】
さらに、特許文献１に開示された方法では、鉛毛マットが非常に大きいため、小さな径の配管に対して鉛毛マットを巻き付けることが難しい。したがって、特許文献１の図９に示すように、鉛毛マットを配管に巻き付けることができず、鉛毛マットを配管に覆い被せるだけの状態となる。よって、配管の周方向についての一部が露出し、露出した部分から放射線が放射される。
【０００６】
また、鉛板を配管に巻き付ける方法では、鉛板を配管に巻き付けるために鉛板に曲げ加工が必要となる。しかしながら、鉛板に曲げ加工を繰り返し施した場合、鉛板にクラックが生じ、放射線遮蔽率が低下する。
【０００７】
そこで、本発明は、遮蔽具の取り付け及び取り外しを簡易に且つ短時間で行うことができるとともに、被ばく量を確実に低減できる遮蔽具を提供することを目的とする。
【課題を解決するための手段】
【０００８】
本発明の遮蔽具は、金属と樹脂とを含み、非筒状の湾曲した放射線遮蔽部材と、前記放射線遮蔽部材の湾曲方向についての一端部と他端部とを接続する接続部材とを備え、前記接続部材によって前記一端部と前記他端部とを接続することにより、前記放射線遮蔽部材が筒状に形成される。
【０００９】
本発明によると、放射線遮蔽部材が、金属と樹脂とを含んだ可撓性の部材であり且つ湾曲状に形成されていることにより、遮蔽具を放射線が流れる配管等の円柱状の部材に簡易に取り付けることができる。また、遮蔽具を取り外すときは、放射線遮蔽部材の一端部と他端部との接続を解除することにより、遮蔽具を配管等から簡易に取り外すことができる。これにより、遮蔽具の取り付け作業の時間及び取り外し作業の時間を低減でき、作業員の被ばく量を低減できる。さらに、遮蔽具を配管等に取り付けたとき、放射線遮蔽部材が筒状に形成されるため、放射線遮蔽部材により配管等を全周方向に取り囲むことができる。これにより、配管等から放出される放射線を効率よく遮蔽できることから、空間線量を低減できるため、被ばく量を低減できる。
【００１０】
また、本発明において、前記接続部材によって前記放射性遮蔽部材の前記一端部と前記他端部とを接続したとき、前記一端部と前記他端部とが径方向に重複することが好ましい。これにより、遮蔽具を放射性物質が流れる配管等に取り付けたときに、放射線遮蔽部材の一端部と他端部とが径方向に重複するため、放射線遮蔽部材により配管等を全周方向に確実に取り囲むことができる。したがって、配管等から放出される放射線を効率よく遮蔽できることから、空間線量を低減できるため、被ばく量を確実に低減できる。
【発明の効果】
【００１１】
本発明の放射線遮蔽装置によると、放射線遮蔽部材が、金属と樹脂とを含んだ可撓性の部材であり且つ湾曲状に形成されていることにより、遮蔽具を放射線が流れる配管等の円柱状の部材に簡易に取り付けることができる。また、遮蔽具を取り外すときは、放射線遮蔽部材の一端部と他端部との接続を解除することにより、遮蔽具を配管等から簡易に取り外すことができる。これにより、遮蔽具の取り付け作業の時間及び取り外し作業の時間を低減でき、作業員の被ばく量を低減できる。さらに、遮蔽具を配管等に取り付けたとき、放射線遮蔽部材が筒状に形成されるため、放射線遮蔽部材により配管等を全周方向に取り囲むことができる。これにより、配管等から放出される放射線を効率よく遮蔽できることから、空間線量を低減できるため、被ばく量を低減できる。
【図面の簡単な説明】
【００１２】
【図１】本発明の実施形態に係る遮蔽装置を示す模式図である。
【図２】（ａ）は、図１に示す遮蔽装置の正面図であり、（ｂ）は図２（ａ）に示すＢ−Ｂ線に沿った断面図である。
【発明を実施するための形態】
【００１３】
以下、本発明の好適な実施形態について、図面を参照しつつ説明する。
【００１４】
（遮蔽具）
図１に示すように、遮蔽具１００は、湾曲状の遮蔽部材（放射線遮蔽部材）１と、遮蔽部材１の外周面に周方向に沿って取り付けられたベルト２と、ベルト２の一端部２ａに取り付けられたバックル３とを備えている。
【００１５】
<放射線遮蔽部材>
図１（ａ）に示すように、遮蔽部材１は湾曲した非筒状に形成され、遮蔽部材１には湾曲形状が記憶されている。遮蔽部材１は、金属と樹脂とを含む混合物により形成された放射線を遮蔽する部材であり、樹脂が含まれているため可撓性を有する。金属には、ヘビーメタル（タングステンなど）、銅、ニッケル、チタン、鉛又はこれらの合金等が用いられる。また、樹脂には、ポリウレタン等の熱可塑性樹脂が用いられる。遮蔽部材１は、所望の遮蔽能に応じて厚みが調整され、持ち運び可能な重さに調整されている。図１（ａ）では、遮蔽部材１の湾曲方向についての一端部を第一端部１ａと示し、他端部を第二端部１ｂと示している。
【００１６】
遮蔽部材１に湾曲形状を記憶させるために、例えば、薄板状の遮蔽部材を、加熱することにより湾曲状に（筒状になるように）変形させ、その状態を維持しながら２００℃で加熱し、その後、遮蔽部材を湾曲状に（筒状になるように）維持しながら冷却する。
【００１７】
<ベルト及びバックル>
遮蔽部材１の右端部及び左端部には、ベルト２が取り付けられている。ベルト２の一端部２ａにはバックル３が取り付けられており、バックル３はベルト２の一端部２ａと他端部２ｂとを接続する。図１（ｂ）に示すように、バックル３にベルト２の他端部２ｂを掛けると、ベルト２の一端部２ａと他端部２ｂとがバックル３により接続され、遮蔽部材１が筒状に形成される。このように、ベルト２とバックル３は、遮蔽部材１の湾曲方向についての第一端部１ａと第二端部１ｂとを接続する接続部材を構成している。
【００１８】
図１（ｂ）及び図２（ｂ）に示すように、バックル３にベルト２の他端部２ｂを掛けたとき、遮蔽部材１の第一端部１ａと第二端部１ｂとは、配管５０の径方向に重なっている。そして、配管５０は、遮蔽部材１によって全周方向に囲まれている。また、図２に示すように、バックル３に掛けられたベルト２の他端部２ｂは遮蔽部材１に設けられたベルト止め部４に収納される。なお、図１（ｂ）には、ベルト２の他端部２ｂがベルト止め部４に収納されていない状態を示している。
【００１９】
次に、遮蔽具１００を配管５０に取り付ける方法を説明する。配管５０には、放射性物質が流れている。
【００２０】
図１（ａ）に示すように、遮蔽部材１を配管５０の周囲に配置し、配管５０の外周面に沿って遮蔽部材１を配管５０に巻き付ける。そして、図１（ｂ）に示すように、ベルト２の他端部２ｂをバックル３に掛け、ベルト２の一端部２ａと他端部２ｂとを接続する。これにより、配管５０は遮蔽部材１により全周方向に取り囲まれる。同様な方法により、複数の遮蔽具１００を、配管５０の延在方向に沿って配管５０に取り付ける。
【００２１】
遮蔽具１００を配管５０から取り外すときは、ベルト２の他端部２ｂをバックル３から外し、ベルト２の一端部２ａと他端部２ｂとの接続を解除する。
【００２２】
ここで、上述したように、遮蔽部材１は金属と樹脂とを含む混合物により形成され、遮蔽部材１には湾曲形状が記憶されている。したがって、配管５０の径の大きさに関わらず、配管５０の外周面に沿って遮蔽部材１を配管５０に巻き付けることができる。また、遮蔽部材１を配管５０に巻きつけても、遮蔽部材１にクラックが生じず、遮蔽部材１を繰り返し使用できる。
【００２３】
以上に述べたように、本実施形態の遮蔽具１００によると以下の効果を奏する。遮蔽部材１が、金属と樹脂とを含んだ可撓性の部材であり且つ湾曲状に形成されていることにより、遮蔽具１００を配管５０等の円柱状の部材に簡易に取り付けることができる。また、遮蔽具１００を取り外すときは、遮蔽部材１の第一端部１ａと第二端部１ｂとの接続を解除することにより、遮蔽具１００を配管５０から簡易に取り外すことができる。これにより、遮蔽具１００の取り付け作業の時間及び取り外し作業の時間を低減でき、作業員の被ばく量を低減できる。さらに、遮蔽部材１の第一端部１ａと第二端部１ｂとを接続することにより遮蔽具１００を配管５０に取り付けたとき、遮蔽部材１が筒状に形成されるため、遮蔽部材１により配管５０を全周方向に取り囲むことができる。これにより、配管等から放出される放射線を効率よく遮蔽できることから、空間線量を低減できるため、被ばく量を低減できる。
【００２４】
また、遮蔽具１００を放射性物質が流れる配管５０に取り付けたときに、遮蔽部材１の第一端部１ａと第二端部１ｂとが配管５０の径方向に重複するため、遮蔽部材１により配管５０を全周方向に確実に取り囲むことができる。したがって、配管等から放出される放射線を効率よく遮蔽できることから、空間線量を低減できるため、被ばく量を確実に低減できる。
【００２５】
以上、本発明の好適な実施形態について説明したが、本発明は上述の実施形態に限られるものではなく、特許請求の範囲に記載した限りにおいて様々な変更が可能なものである。
【００２６】
例えば、上述の実施形態では、遮蔽具１００を配管５０に取り付けたときに、遮蔽部材１の第一端部１ａと第二端部１ｂとが配管５０の径方向に重なる場合について説明したが、遮蔽部材１の第一端部１ａと第二端部１ｂとが配管５０の径方向に重ならなくてもよい。
【００２７】
また、上述の実施形態では、接続部材がベルト２及びバックル３により構成されている場合について説明したが、接続部材はベルト及びバックルに限られない。
【００２８】
さらに、上述の実施形態では、接続部材（ベルト２及びバックル３）が遮蔽部材１の右端部及び左端部に取り付けられている場合について説明したが、接続部材が設けられる位置及び接続部材の数は変更可能なものである。
【００２９】
加えて、上述の実施形態では、遮蔽具１００を配管５０に取り付ける場合について説明したが、遮蔽具１００を取り付ける部材は配管に限られない。
【符号の説明】
【００３０】
１  遮蔽部材（放射線遮蔽部材）
１ａ  第一端部（一端部）
１ｂ  第二端部（他端部）
２  ベルト
２ａ  一端部
２ｂ  他端部
３  バックル
１００  遮蔽具
【図１】
2012225754.tif 000003
【図２】
2012225754.tif 000004